(57)【要約】      （修正有）【課題】薪ストーブのためのドラフト発生火熱器付煙突装置を提供する。【解決手段】ドラフト発生火熱器装置上部本体１に破裂防止空気抜き孔４を設ける。火熱発生装置上部ストッパー枠１０に固定枠上部支え具１２に保持された火熱発生装置固定上枠１１を設けた、火熱発生装置上部ストッパー枠１０をドラフト発生火熱器装置上部３に重合し重着させるように設ける。ドラフト発生火熱器装置上部本体１の内部に内接するように上部本体充填用断熱材８を嵌入するように備える。ドラフト発生火熱器装置下部本体２に備わっているドラフト発生火熱器装置下部に火熱発生装置下部ストッパー枠１３に固定枠下部支え具１５に保持された火熱発生装置固定下枠１４を備えた火熱発生装置下部ストッパー枠１３をドラフト発生火熱器装置下部５に重合するように重着させて支持するように設ける。ドラフト発生火熱器装置下部本体２の内部に内接するように下部本体充填用断熱材９を嵌入するように設ける。【選択図】図１
0003219252.tif 000002
【実用新案登録請求の範囲】
【請求項１】
ドラフト発生火熱器装置上部本体に破裂防止空気抜き孔を備え、ドラフト発生火熱器装置上部に火熱発生装置上部ストッパー枠を設け、火熱発生装置上部ストッパー枠に固定枠上部支え具に保持された火熱発生装置固定上枠を備えた火熱発生装置上部ストッパー枠をドラフト発生火熱器装置上部に重合し重着させるように設け、ドラフト発生火熱器装置上部本体の内部に内接するように上部本体充填用断熱材を嵌入するように設け、ドラフト発生火熱器装置下部本体に備わっているドラフト発生火熱器装置下部に火熱発生装置下部ストッパー枠に固定枠下部支え具に保持された火熱発生装置固定下枠備えた火熱発生装置下部ストッパー枠をドラフト発生火熱器装置下部に重合するように重着させて支持するように設け、ドラフト発生火熱器装置下部本体の内部に内接するように下部本体充填用断熱材を嵌入するように設け、ドラフト発生火熱器装置上部本体に備えた接続枠部とドラフト発生火熱器装置下部本体に備えた接続受け枠部を冠着し重合させるように設け、ドラフト発生火熱器装置上部本体とドラフト発生火熱器装置下部本体の内部に内接するように下部本体充填用断熱材を嵌入するように設けたドラフト発生火熱器装置上部本体とドラフト発生火熱器装置下部本体を咬合するように咬持し固定するようにしたドラフト発生火熱器装置接合本体を設け、ドラフト発生火熱器付煙突装置本体の底面から固定枠下部支え具に保持された火熱発生装置固定下枠備えた火熱発生装置下部ストッパー枠を嵌入し、火熱発生装置下部ストッパー枠をドラフト発生火熱器付煙突装置本体内に嵌合し、火熱発生装置下部ストッパー支え溶接点止めで固着するように設け、ドラフト発生火熱器付煙突装置本体の上部面からドラフト発生火熱器装置接合本体を嵌入し、火熱発生装置固定下枠にドラフト発生火熱器装置下部を嵌着するように設け、ドラフト発生火熱器付煙突装置本体の上部面から固定枠上部支え具に保持された火熱発生装置固定上枠を備えた火熱発生装置上部ストッパー枠をドラフト発生火熱器装置上部に重着させるように設け、嵌着したことを特長とするドラフト発生火熱器付煙突装置。
【請求項２】
ドラフト発生火熱器装置付煙突に設けた火熱発生装置上部ストッパー枠と火熱発生装置下部ストッパー枠の面に沿って外周面に耐熱用断熱シートを捲着するように設け、耐熱用断熱シートを支持するように外囲い外装煙突本体を設け、外囲い外装煙突本体の底面部から外囲い外装煙突下フタ部を持って耐熱用断熱シートを支持し嵌合させ冠着するように設け、外囲い外装煙突本体の上部面から外囲い外囲い外装煙突上フタ部を持って耐熱用断熱シートを嵌合し冠着するように設け、嵌着したことを特長とする請求項１記載のドラフト発生火熱器付煙突装置。
【考案の詳細な説明】
【技術分野】
【０００１】  この考案は、密閉された鉄板製などの素材で箱形の形状の中で、薪などを燃焼させる薪ストーブに取付けられている長い煙突に代わり、従来使用している薪ストーブにとりつけ、煙突を短小化するためと燃焼がさらにアップし、効率良く働き煙突の効果も十分に発揮し、煙突から排気される煤などの排出をさらに抑えることができ、外気への自然環境面並びに掃除のメンテナンスも楽で薪も長持ちし、管理費用も少なくなる薪ストーブのためのドラフト発生火熱器付煙突装置に関するものである。
【背景技術】
【０００２】  従来、一重煙突の薪ストーブはありましたが。断熱性が劣るため、屋外で使用すると、外気で冷やされ、排気の熱を煙突から放出する役割を持つ「煙突の効果」を「ドラフト効果」といい、このドラフトが発生しづらくなり、スムーズな排煙効果が減少した、そこで未燃焼ガスを燃焼させ二次燃焼機能を保つために、一重煙突を断熱で覆った二重煙突にし、煙突から排出される煙などを減少するために燃焼効率を上げるなど工夫した、一重から二重煙突にすることにより、高温の煙突「ヒートライザー」を実現し、ロケットのように空気を吸い上げ「ロケットストーブ」、燃焼を高めた薪ストーブがあり、従来の一重煙突薪ストーブより燃焼効果に差を付けた二重煙突を使用した薪ストーブにしている。
【考案の開示】
【考案が解決しようとする課題】
【０００３】  そのために、次の様な問題があった。
一重煙突の薪ストーブはありましたが。断熱性が劣るため、屋外で使用すると、外気で冷やされ、排気の熱を煙突から放出する役割を持つ「煙突の効果」を「ドラフト効果」といい、このドラフトが発生しづらくなり、スムーズな排煙効果が減少する問題点があった。この一重煙突の問題を改良して、未燃焼ガスを燃焼させ二次燃焼機能を保ち、煙突から排出される煙などを減少するために燃焼効率を上げるなど工夫した一重煙突を断熱で覆った二重煙突にすることにより、高温の煙突「ヒートライザー」を実現し、ロケットのように空気を吸い上げ「ロケットストーブ」、燃焼を高めた薪ストーブが主流になりつつあり、従来の一重煙突から二重煙突にし、薪ストーブより燃焼効果に差を付けた二重煙突などの薪ストーブなどがあるが，長い煙突使用には一重煙突と差はすくなく、煙突が外気温の影響を受けず、高温のまま排出し強いドラフトを維持出来ることは進歩したが、煙突内部の煤やタールの付着、及び結露の発生現象はまだ不十分でメンテナンスおよび長い煙突を使用するためコストを下げることにはならなかった。
本考案は以上の問題点を解決する為になされたものである。
【課題を解決するための手段】
【０００４】燃焼室（焚き口）で温められた空気は低温の空気（酸素）より密度が低いため、煙突内の空気（酸素）に浮力が生じ煙突ないから煙を排気する「上昇気流」が発生し、燃焼する為には空気（酸素）が無いと酸欠状態になり燃えなくなります、ゆえに燃焼を繰り返し効率良く燃焼するためには、冷たい空気（酸素）が再び、燃焼室（焚き口）から送られて、再度暖かい空気（酸素）に浮力を生じる結果、暖かい空気は上昇し「煙突」で排気されて、空気（酸素）が上昇するから下にある冷たい空気（重い酸素）が煙突の下の入り口に吸い込まれ燃焼に必要な酸素が供給され、このような排気の熱を煙突から放出する役割を持つ「煙突の効果」を「ドラフト効果」といい、この繰り返されるドラフト効果で窯の中の薪燃料などは連続して燃え続け薪ストーブは燃え、煙突の役目である温められ燃焼で生じた煙などを排気する上昇気流を煙突で発生させることを「ドラフト」といい、煙突効果でドラフトが発生する自然現象は煙突の長さ煙突径などによる変化でドラフト効果が強くなる、このドラフト（上昇気流）とは空気の温度差によって自然に生まれる気流のことで、温度差が大きいほど気流の流れが強くなり、煙突の先端部分および排気温度を外気温度と外気温より高くなるようにして、ドラフトを発生させ、十分な空気を燃焼室に給気させ薪を燃えやすくさせ、煙の温度の低下による、煙突内にタールなどの煤が付着しないよう、強いドラフトをおこし薪などが完全燃焼し、煙突が外気温の影響を受けず、高温のまま排出し強いドラフトを維持出来るドラフト発生火熱器装置が付いた煙突を薪ストーブの連結煙突部に嵌着できるドラフト発生火熱器付煙突装置である。
【考案の効果】
【０００５】  考案したドラフト発生火熱器付煙突装置は煙突内に特殊な形状のヒートライザー（煙突内の温度を効率的に上げる装置）を組み込んだ煙突で、炎の流動抵抗値を出来るだけ無くすことにより煙突内の焔がスムーズに通過し煙突内部に強制的に熱エネルギーを蓄積させることができ、従来に無い煙突のドラフトを強力に増強する働きをする煙突で、煙突内に設けた特殊な角錐を組み合わせた装置（ドラフト発生火熱器）を煙突内に備えることにより、従来の長い煙突に比べて、えんとつのドラフトが強力になるために、短い長さの煙突で十分な効果を発揮し、長い煙突を必要とせず、薪ストーブの小型、大型にも取付けられ、薪ストーブ本体に備えた連結煙突部にドラフト発生火熱器付煙突を嵌着するように備えることができ、薪ストーブを効率的に使用できる。
【考案を実施するための最良の形態】
【０００６】    以下本考案の実施の形態に付いて説明する。
（イ）ドラフト発生火熱器装置上部本体（１）に破裂防止空気抜き孔（４）を設ける。
（ロ）火熱発生装置上部ストッパー枠（１０）に固定枠上部支え具（１２）に保持された火熱発生装置固定上枠（１１）を設けた、火熱発生装置上部ストッパー枠（１０）をドラフト発生火熱器装置上部（３）に重合し重着させるように設ける。
（ハ）ドラフト発生火熱器装置上部本体（１）の内部に内接するように上部本体充填用断熱材（８）を嵌入するように備える。
（ニ）ドラフト発生火熱器装置下部本体（２）に備わっているドラフト発生火熱器装置下部（５）に火熱発生装置下部ストッパー枠（１３）に固定枠下部支え具（１５）に保持された火熱発生装置固定下枠（１４）を備えた火熱発生装置下部ストッパー枠（１３）をドラフト発生火熱器装置下部（５）に重合するように重着させて支持するように設ける。
（ホ）ドラフト発生火熱器装置下部本体（２）の内部に内接するように下部本体充填用断熱材（９）を嵌入するように設ける。
（ヘ）ドラフト発生火熱器装置上部本体（１）に備えた接続枠部（６）とドラフト発生火熱器装置下部本体（２）に備えた接続受け枠部（７）を冠着し重合させるように設け、ドラフト発生火熱器装置上部本体（１）とドラフト発生火熱器装置下部本体（２）の内部に内接するように下部本体充填用断熱材（９）を嵌入するように設けたドラフト発生火熱器装置上部本体（１）とドラフト発生火熱器装置下部本体（２）を咬合するように咬持するようにしたドラフト発生火熱器装置接合本体（１６）を設ける。
ドラフト発生火熱器付煙突装置本体（１８）の底面から固定枠下部支え具（１５）に保持された火熱発生装置固定下枠（１４）を備えた火熱発生装置下部ストッパー枠（１３）に嵌入し、火熱発生装置下部ストッパー枠（１３）をドラフト発生火熱器付煙突装置本体（１８）内に嵌合し、火熱発生装置下部ストッパー支え溶接点止め（１７）で固着するように設ける。
（ト）ドラフト発生火熱器付煙突装置本体（１８）の上部面からドラフト発生火熱器装置接合本体（１６）を嵌入し、火熱発生装置固定下枠（１４）にドラフト発生火熱器装置下部（５）を嵌着するように設け、ドラフト発生火熱器付煙突装置本体（１８）の上部面から固定枠上部支え具（１２）に保持された火熱発生装置固定上枠（１１）を備えた火熱発生装置上部ストッパー枠（１０）をドラフト発生火熱器装置上部（３）に重着させるように設け嵌着する。
（チ）ドラフト発生火熱器付煙突装置本体（１８）の外周面に耐熱用断熱シート（１９）を捲着し、捲着した耐熱用断熱シート（１９）の表面を覆うように外囲い外装煙突本体（２０）を設け、外囲い外装煙突本体（２０）上下に外囲い外装煙突下フタ部（２１）と外囲い外装煙突上フタ部（２２）を備えた煙突を火熱発生装置下部ストッパー枠（１３）底面部からストーブ本体（２３）に備わっている連結煙突部（２４）にドラフト発生火熱器付煙突装置を嵌着する。
本考案は、以上の構造でこれを使用するときは、ドラフト発生火熱器付煙突装置本体（１８）をドラフト発生火熱器装置下部本体（２）備えた火熱発生装置下部ストッパー枠（１３）底面部からストーブ本体（２３）に備わっている連結煙突部（２４）に嵌着しドラフト発生火熱器付煙突装置を用いる。
【図面の簡単な説明】
【０００７】
【図１】  本考案の実施による正面図から示す斜視図
【図２】  本考案の実施による正面図から示す斜視図
【図３】  本考案の実施の形態に係るドラフト発生火熱器付煙突装置本体を正面図から示す斜視図
【図４】  本考案の実施の形態に係るドラフト発生火熱器付煙突装置本体に係る正面図から示す斜視図
【図５】  本考案のドラフト発生火熱器付煙突装置本体を取付実施した状態を正面から示す斜視図
【図６】  本考案のドラフト発生火熱器付煙突装置本体を取付実施状態を写真から示す斜視図
【符号の説明】
【０００８】  １      ドラフト発生火熱器装置上部本体
２      ドラフト発生火熱器装置下部本体
３      ドラフト発生火熱器装置上部
４      破裂防止空気抜き孔
５      ドラフト発生火熱器装置下部
６      接続枠部
７      接続受け枠部
８      上部本体充填用断熱材
９      下部本体充填用断熱材
１０      火熱発生装置上部ストッパー
１１      火熱発生装置固定上枠
１２      固定枠上部支え具
１３      火熱発生装置下部ストッパー
１４      火熱発生装置固定下枠
１５      固定枠下部支え具
１６      溶接接合部
１７      火熱発生装置下部ストッパー支え溶接点止め
１８      ドラフト発生火熱器付煙突装置本体
１９      包帯状巻付け断熱材
２０      外囲い外装煙突本体
２１      外囲い外装煙突下フタ部
２２      外囲い外装煙突上フタ部
２３      ストーブ本体
２４      連結煙突部
【図１】
0003219252.tif 000003
【図２】
0003219252.tif 000004
【図３】
0003219252.tif 000005
【図４】
0003219252.tif 000006
【図５】
0003219252.tif 000007
【図６】
0003219252.tif 000008